【事件の表示】
　特許第２９９１１２４号に関する訂正審判事件について、次のとおり審決する。
【結　論】
　特許第２９９１１２４号に係る明細書を本件審判請求書に添付された訂正明細書のとおり訂正することを認める。
【理　由】
１．請求の要旨
　
　本件審判請求の要旨は、特許２９９１１２４号（平成１年１月１９日に出願された実願平１−４５８４号を特許法第４６条第１項の規定により、平成８年８月２９日に特願平８−２２９０７０号として特許出願に変更し、平成１１年１０月１５日設定登録）に係る明細書を本件審判請求書に添付された訂正明細書のとおりに訂正するもので、その訂正の内容は次の（１）ないし（４）とおりである。
　
（１）訂正事項ａ
　特許請求の範囲の第１項を、「ペダル軸を境に前面側が踏み込み部とされ背面側にペダル突上棒が連結されたペダルと、ピアノ本体に回動自在に配設されたペダルに連結され、該ペダルの回動に連動して上下動するペダル突上棒と、該ペダル突上棒に接続され、演奏データに応じた電力の供給を受けて上記ペダル突上棒を上下動させるペダル駆動ソレノイドとを具備した自動演奏ピアノ用ペダル駆動機構において、前記ペダル駆動ソレノイドの本体を前記ピアノ本体に固定し、該ペダル駆動ソレノイドのプランジャと前記ペダル突上棒とを同軸上に連設して、該プランジャの摺動方向端部と、前記ペダル突上棒接続端部とを回動自在に連結し、自動演奏時のペダル操作のために、演奏データに対応する駆動電流がペダルソレノイドに供給され、該駆動電流に応じてプランジャが駆動されることを特徴とする自動演奏ピアノ用ダンパペダル駆動機構。」と訂正する。
　
（２）訂正事項ｂ
　特許明細書の段落番号００１４（本件特許公報第３頁左欄第２行〜第１３行）の「【課題を解決するための手段】上記課題を解決するため・・・ことを特徴とする。」を、「【課題を解決するための手段】上記課題を解決するためになされた本発明は、ペダル軸を境に前面側が踏み込み部とされ背面側にペダル突上棒が連結されたべダルと、ピアノ本体に回動自在に配設されたペダルに連結され、該ペダルの回動に連動して上下動するペダル突上棒と、該ペダル突上棒に接続され、演奏データに応じた電力の供給を受けて上記ペダル突上棒を上下動させるペダル駆動ソレノイドとを具備した自動演奏ピアノ用ペダル駆動機構において、前記ペダル駆動ソレノイドの本体を前記ピアノ本体に固定し、該ペダル駆動ソレノイドのプランジャと前記ペダル突上棒とを同軸上に連設して、該プランジャの摺動方向端部と、前記ペダル突上棒接続端部とを回動自在に連結し、自動演奏時のペダル操作のために、演奏データに対応する駆動電流がペダルソレノイドに供給され、該駆動電流に応じてプランジャが駆動されることを特徴とする自動演奏ピアノ用ダンパペダル駆動機構を提供するものである。」と訂正する。
　
（３）訂正事項ｃ
　特許明細書の段落番号００１５（本件特許公報第３頁左欄第１４行〜第２８行）の「上記構成によれば・・・が作動する。」を、「上記構成によれば、演奏データに対応した駆動電流がペダル駆動用ソレノイドに供給され、この駆動電流に応じてプランジャが上下駆動される。これに伴い、ペダル突上棒が上下駆動され、自動演奏ピアノでは演奏データに対応した演奏制御が行われる。ここで、プランジャとペダル突上棒とが同軸上に連設され、かつ、プランジャの摺動方向端部と、ペダル突上棒接続端部とが回動自在に連結されているため、ペダル駆動の際の機械的騒音は著しく小さい。また、ペダル駆動ソレノイドがピアノ本体に固定され、ペダル駆動ソレノイドのプランジャのみがペダル操作に応じて摺動するので、通常演奏時においては、フットペダルの踏み込み負荷が従来の一般的なピアノと変わらず、また、自動演奏時においては、プランジャの上下動がフットペダルに伝達され、記録された踏み込み量に応じてフットペダルが作動する。」と訂正する。
　
（４）訂正事項ｄ
　特許明細書の段落番号００２３（本件特許公報第４頁左欄第６行〜同頁右欄第３行）の「【発明の効果】以上説明したように、・・・という効果を奏する。」を、「【発明の効果】以上説明したように、この発明によれば、プランジャとペダル突上棒とが同軸上に連設され、かつ、プランジャの摺動方向端部と、ペダル突上棒接続端部とが回動自在に連結されているため、ペダル駆動時の機械的騒音が防止されるという効果が得られる。また、本発明によれば、ペダル軸を境に前面側が踏み込み部とされたペダルの背面側に連結されたペダル突上棒が、ペダル駆動ソレノイドのプランジャと同軸上に連設されプランジャの摺動方向端部と回動自在に連結されている。ダンパペダル駆動機構におけるこのペダル突上棒とプランジャとの直結構造は、ペダル駆動の制御性を改善し、したがって高度なダンパペダル操作を自動で行うことが可能になるという効果が得られる。そして、演奏データとしてペダル踏み込み量に対応するデータを供給するようにしておき、このデータに従ってプランジャの位置決めを行なうようにすれば、演奏データに対応する駆動電流に応じてハーフペダルその他のペダル踏み込み量の調整が可能となる。さらに、ペダル駆動ソレノイドがピアノ本体に固定され、ペダル駆動ソレノイドのプランジャのみがペダル操作に応じて摺動するので、通常演奏時においては、フットペダルの踏み込み負荷が従来の一般的なピアノと何等変わらず、よって演奏感覚が従来と大きく変わってしまうことがないという効果を奏する。また、自動演奏時においては、プランジャの上下動がフットペダルに伝達され、フットペダルの動作が演奏データに従って再現されるため、自動演奏を見ている者に違和感を与えないという効果を奏する。」と訂正する。
　
２．当審の判断
　
（１）訂正の目的の適否、新規事項の有無及び拡張・変更の存否
　
ア．上記訂正事項ａ中の「ペダル軸を境に前面側が踏み込み部とされ背面側にペダル突上棒が連結されたペダルと、」は、「ペダル」を下位概念のものに限定したものであり、この「ペダル軸を境に前面側が踏み込み部とされ背面側にペダル突上棒が連結されたペダルと、」は、特許明細書の段落番号０００３(特許公報第２欄第１３行〜第３欄第１行)に「各ペダルｌａ〜ｌｃは、ペダル軸を境にピアノ前面側が踏み込み部となっており、ピアノ背面側にはペダル突上棒３ａ〜３ｃが各々連結されている。」と記載されており、
　上記訂正事項ａ中の「該プランジャの摺動方向端部と、前記ペダル突上棒接続端部とを回動自在に連結したこと」は、「該プランジャの摺動方向端部と、前記ペダル突上棒接続端部とを連結したこと」を下位概念のものに限定したものであり、この「該プランジャの摺動方向端部と、前記ペダル突上棒接続端部とを回動自在に連結したこと」は、特許明細書(特許公報第５欄第４０行〜第６欄第２３行、原出願明細書第７頁第６行〜第９頁第３行）に「【００１７】・・・プランジャ１１ａおよび１１ｃは、・・・その摺動方向(上下方向)両端部には雄ねじが形成されている。ペダル突上棒１２ａの一端は、ユニバーサルジョイントを介してペダルｌａに連結され、他端には雌ねじ(図示せず)が形成されている。【００１８】そして、この雌ねじがプランジャ１１ａの下端部の雄ねじと螺合することにより、ペダル突上棒１２ａとプランジャ１１ａとが接続されている。・・・【００１９】・・・この時、ペダル突上棒１２ａもプランジャ１１ａと連動するのでダンパペダルｌａが回動する。ここで、プランジャ１１ａとペダル突上棒１２ａおよび袋ナット１３ａとは強固に接続されており、上記動作において発生する騒音は著しく小さい。」と記載されており、図１に「ペダル突上棒１２ａのダンパペダルｌａ側端部に設けられたユニバーサルジョイントと、プランジャ１１ａ側に設けられたユニバーサルジョイントとを備えている」構成が図示されており、
　上記訂正事項ａ中の「自動演奏時のペダル操作のために、演奏データに対応する駆動電流がペダルソレノイドに供給され、該駆動電流に応じてプランジャが駆動される」は、「演奏データに応じた電力の供給を受けて上記ペダル突上棒を上下動させるペダル駆動ソレノイドとを具備した自動演奏ピアノ用ペダル駆動機構」を下位概念のものにに限定したものであり、この「自動演奏時のペダル操作のために、演奏データに対応する駆動電流がペダルソレノイドに供給され、該駆動電流に応じてプランジャが駆動される」は、特許明細書の段落番号００１９(特許公報第６欄第１４行〜第１７行、原出願明細書第８頁第１２行〜第１５行)に「自動演奏モード時は、演奏データに対応する駆動電流がペダルソレノイド４ａおよび４ｃに供給され、この駆動電流に応じてプランジャ１１ａおよび１１ｃが駆動される。」と記載されており、
　上記訂正事項ａ中の「自動演奏ピアノ用ダンパペダル駆動機構」は、「自動演奏ピアノ用ペダル駆動機構」を下位概念のものに限定したものであり、この「自動演奏ピアノ用ダンパペダル駆動機構」は、特許明細書の段落番号００１９、００２０、００２１(特許公報第６欄第９行〜第４５行、原出願明細書第８頁第６行〜第９頁第１７行)に「上記構成において、演奏者がダンパペダルｌａを踏み込むと、・・・」と記載されているので、
　上記訂正事項ａは、特許請求の範囲の減縮を目的とした明細書の訂正に該当し、新規事項の追加に該当せず、実質上特許請求の範囲を拡張又は変更するものでない。
　
イ．上記訂正事項ｂ及びｃは、上記訂正事項ａの特許請求の範囲の訂正に対応して、これに整合するように発明の詳細な説明の欄の【課題を解決するための手段】を訂正するものであるから、明りょうでない記載の釈明を目的とした明細書の訂正に該当し、新規事項の追加に該当せず、実質上特許請求の範囲を拡張又は変更するものでない。
　
ウ．上記訂正事項ｄは、上記訂正事項ａの特許請求の範囲の訂正に対応して、これに整合するように発明の詳細な説明の欄の【発明の効果】を訂正するものであるから、明りょうでない記載の釈明を目的とした明細書の訂正に該当し、訂正事項ｄの「そして、演奏データとしてペダル踏み込み量に対応するデータを供給するようにしておき、このデータに従ってプランジャの位置決めを行なうようにすれば、演奏データに対応する駆動電流に応じてハーフペダルその他のペダル踏み込み量の調整が可能となる。」は、特許明細書の段落番号００２１(特許公報第６欄第４０行〜第４５行)に「そして、演奏データとしてペダル踏み込み量に対応するデータを供給するようにしておき、このデータに従ってプランジャ１１ａ,１１ｃの位置決めを行うようにすれば、ハーフペダル動作は勿論、ペダル踏み込み量をリニアに調整することが可能となり、より高度な演奏を自動で行うことが可能となる。」と記載されているので、上記訂正事項ｄは、新規事項の追加に該当せず、実質上特許請求の範囲を拡張又は変更するものでない。
　
（２）独立特許要件の判断
　本件特許２９９１１２４号の関連事件で、現在、東京高等裁判所に平成１３年（行ケ）第２２号取消決定取消請求事件（２０００年異議７２４７７号の取消決定取消請求事件）が出訴されており、その特許異議の決定で引用された刊行物に基づき独立特許要件について検討する。
　
ア．訂正後の特許請求の範囲の請求項１に記載されている事項により特定される発明
　訂正後の特許請求の範囲の請求項１に記載されている事項により特定される発明（以下、「訂正後の発明」という。）は、本件審判請求書に添付された全文訂正明細書の特許請求の範囲の請求項１に記載された以下のとおりである。
「【請求項１】ペダル軸を境に前面側が踏み込み部とされ背面側にペダル突上棒が連結されたペダルと、
　ピアノ本体に回動自在に配設されたペダルに連結され、該ペダルの回動に連動して上下動するペダル突上棒と、
　該ペダル突上棒に接続され、演奏データに応じた電力の供給を受けて上記ペダル突上棒を上下動させるペダル駆動ソレノイドと
　を具備した自動演奏ピアノ用ペダル駆動機構において、
　前記ペダル駆動ソレノイドの本体を前記ピアノ本体に固定し、該ペダル駆動ソレノイドのプランジャと前記ペダル突上棒とを同軸上に連設して、該プランジャの摺動方向端部と、前記ペダル突上棒接続端部とを回動自在に連結し、
　自動演奏時のペダル操作のために、演奏データに対応する駆動電流がペダルソレノイドに供給され、該駆動電流に応じてプランジャが駆動されることを特徴とする自動演奏ピアノ用ダンパペダル駆動機構。」である。
　
イ．刊行物に記載された発明
　
刊行物１：実願昭５４−６７４０４号（実開昭５５−１６７２８７号）のマイクロフィルム                 　
１−ａ．「ピアノの自動演奏装置に関する」（第１頁１２行ないし第１３行）
１−ｂ．従来例と比較して、「従来このダンパー、ソフトペダルのプランジャ部の構成は、筒状のソレノイドとこのソレノイドコイル内に挿通された可動コアとを有し、これを突き上げ棒の中間に入れさらに可動コアの上端にダンパー、ソフトペダル動作用の突き上げ棒を固定することが必要であった。この考案は、一本の突き上げ棒の一部に磁性体部を形成することによって、上記ダンパー、ソフトペダルの突き上げ棒を切る事とおよび可動コアと突き上げ棒との 固定作業を不要にした」（第１頁１８行ないし第２頁第８行）
１−ｃ．突き上げ棒の構成として「１は、ペダルレバーで、その一端は例えば釣合を介してぺダルに連結されている。このペダルレバー１の作動端上には、突き上げ棒２が設けられ、ペダルレバー１の作動によって上下動するようになっている。突き上げ棒２の一部には、磁性体部３が形成されている。そして、この磁性体部３を挿通した状態でソレノイドコイル４が巻装されている。５は、その取付フレームである。したがって、突き上げ棒２は、上記ソレノイドコイル４によっても上下に作動され、ソレノイドコイル４に供給されるテープ再生信号に応じてダンパー、ソフトペダルを動かしてペダルそうさを再現する。」（第２頁１２行ないし第３頁第４行）
　
刊行物２：実願昭５７−１２３０７１号（実開昭５９−２７５９７号）のマイクロフィルム
２−ａ．「自動演奏ピアノのペダル駆動装置に関する」（第１頁第１７行ないし第１８行）
２−ｂ．「前記電磁プランジャ５０は自動演奏時に前記ペダル機構７を選択的に駆動して弱音機構４を作動させるためのもので、ソレノイドコイル５４、可動鉄心５５等を有して前記ブラケット５２の上面に配設されている。前記プラケット５２は・・・（中略）・・・取付部５２ｄ，５２ｅが前記底板２５に複数個の木ねじ５６によって固定されている。」（第８頁第７行ないし第１８行）
２−ｃ．底板２５に関し、「楽器筺体５の底面を構成する底板２５の前端部上面に配設」（第５頁第２行ないし第３行）
２−ｄ．「前記ソレノイドコイル５４はボビン６４内に配設され、このボビン６４は前記ブラケット５２の上面板５２ｃ上に載置固定された固定ヨーク６５のフランジ部６５ａ上に配設されている。」（第９頁第８行ないし第１１行）
２−ｅ．「可動鉄心５５の下端部には略路Ｌ字形に形成された左右一対の金属板からなるばね受け兼連結金具７１がピン７２を介して取付けられており」（１０頁第４行ないし第７行）
２−ｆ．可動鉄心に関し「可動鉄心５５の上端部外周面には可動ヨーク６８が嵌合固定され」（第９頁第１８行ないし第２０行）
２−ｇ．「連結金具７１は前記吊金ボルト２８の上端部をゴム等の緩衝部材７７を介して挟持保持することにより該ボルト２８と前記可動鉄心５５を作動連結している。」（第１０頁第１３行ないし第１６行）
２−ｈ．「このような構成からなる電磁プランジャ５０においてソレノイドコイル５４に信号電流を供給して該コイル５４を励磁すると、磁気ギャップ７０に生じる磁束の作用により可動ヨーク６８が吸引下降されるため、これと一体に可動鉄心５５も下降する。したがって、連結金具７１が緩衝部材７７を介して吊金ボルト２８を押し下げる。この吊金ボルト２８はばね６２の作用によりソフトペダル２７に対して固定状態を保持しているため、該ボルト２８が下降すると、前記ソフトペダル２７も回動軸７９を中心として第２図反時計方向に回動する。この結果、ソフトペダル２７はあたかも足によって踏込操作されたかの如く作動し、ソフトペダル天秤２９をペダル天秤軸４０を中心として第１図時計方向に回動させる。このソフトペダル天秤２９が回動すると、ソフトペダル突上棒３０を突き上げるため、弱音機構４は足によるソフトペダル２７の踏込操作と同様に作動し、弱音演奏を可能にする。」（第１０頁第２０行ないし第１１頁第１８行）
２−ｉ．「自動演奏時以外の通常演奏時においてソフトペダル２７を踏込操作すると、吊金ボルト２８の下降に伴い可動鉄心５５がそれ自体の重量およびバックアップスプリング７３の力により下降するため、電磁プランジャ５０は何ら負荷として作用することがなく、したがって一般のピアノと同様、円滑かつ確実なべダル機構７の作動を可能にする」（第１１頁第１９行ないし第１２頁第６行）
　
刊行物３：実願昭５９−２３８５８号（実開昭６０−１４００９６号）のマイクロフィルム　　
３−ａ．「自動演奏用ピアノのペダル駆動装置に関する」（第１頁第１３行ないし第１４行）
３−ｂ．「ペダル駆動装置は第１図（ａ）、（ｂ）、（ｃ）に示すように通常ペダル機構を構成するペダル突上棒１、ペダル天秤２、ペダル３等に配設され、これらをその可動鉄心４により駆動するようにしている。なお、Ａはペダル駆動装置を示す。・・・・・ペダル突上棒にこれと同軸的に配設する場合（第１図（ａ））には、該突上棒を特殊な突上棒と交換したりあるいはペダル突上棒を切断して短くしたりする必要があるため、その取付け、調整作業が面倒であった。」（第２頁６行ないし１９行、第１図（ａ）の実施例を参照）
　
ウ．対比・判断
　訂正後の発明は、上記刊行物１に記載の発明とを比較すると、上記刊行物１に記載の発明は「自動演奏ピアノ用ペダル駆動機構」であり、また、「ダンパー、ソフトペダルのプランジャー部の構成は、筒状のソレノイドとこのソレノイドコイル内に挿通された可動コアを有し、これを突き上げ棒の中間に入れさらに可動コアの上端にダンパー、ソフトペダル動作用の突き上げ棒を固定することが必要であった」なる従来例の構成は、「筒状のソレノイドとこのソレノイドコイル内に挿通された可動コアを有するもの」が、ペダル駆動ソレノイドであるから、図１を参考にすると、ここには、「ペダル突き上げ棒を上下に分割して、その間に可動コアをペダル突き上げ棒と連結している」構成があるものと解され、「ソレノイドコイルは取付フレーム５を介してピアノ本体に固定」される記載は「ソレノイドの本体がピアノ本体に固定されている」ものであることを示唆しており、結局ここには、「ペダル突上棒に接続され、演奏データに応じた電力の供給を受けて上記ペダル突上棒を上下させるペダル駆動ソレノイドと前記ペダル駆動ソレノイドの本体を前記ピアノ本体に固定し、該ペダル駆動ソレノイドのプランジャと前記ペダル突上棒とを該プランジャの摺動方向端部と、前記ペダル突上棒接続端部とを連結した連結駆動機構」に相当する構成の記載があると認められるから、両者は「ピアノ本体に回動自在に配設されたペダルに連結され、該ペダルの回動に連動して上下動するペダル突上棒と、該ペダル突上棒に接続され、演奏データに応じた電力の供給を受けて上記ペダル突上棒を上下動させるペダル駆動ソレノイドとを具備した自動演奏ピアノ用ペダル駆動機構において、前記ペダル駆動ソレノイドの本体を前記ピアノ本体に固定し、該ペダル駆動ソレノイドのプランジャと前記ペダル突上棒とを該プランジャの摺動方向端部と、前記ペダル突上棒接続端部と連結したことを特徴とする自動演奏ピアノ用ペダル駆動機構。」で一致し、以下の点で相違する。
　
　相違点Ａ
　訂正後の発明は、「ペダル軸を境に前面側が踏み込み部とされ背面側にペダル突上棒が連結されたペダルと、ピアノ本体に回動自在に配設されたペダルに連結され、該ペダルの回動に連動して上下動するペダル突上棒と、ペダル駆動ソレノイドのプランジャと前記ペダル突上棒とを同軸上に連設して、該プランジャの摺動方向端部と、前記ペダル突上棒接続端部とを回動自在に連結した自動演奏ピアノ用ダンパペダル駆動機構」であるのに対し、刊行物１に記載された発明には、その様な記載がされていない点
　
　相違点Ｂ
　訂正後の発明は、「自動演奏時のペダル操作のために、演奏データに対応する駆動電流がペダルソレノイドに供給され、該駆動電流に応じてプランジャが駆動されることを特徴とする自動演奏ピアノ用ダンパペダル駆動機構」として、高度なペダル操作を可能としているのに対し、刊行物１に記載された発明には、その様な記載がされていない点
　
　次に、上記相違点Ａ，Ｂについて、検討する。
　刊行物２には、ソレノイド５０の駆動動作の伝達手段として、上記２−ｅ．に「可動鉄心５５の下端部には略Ｌ字形に形成された左右一対の金属板からなるばね受け兼連結金具７１がピン７２を介して取付けられており」、また、上記２−ｆ．に、可動鉄心に関し「可動鉄心５５の上端部外周面には可動ヨーク６８が嵌合固定され」、上記２−ｇ．に、「連結金具７１は前記吊金ボルト２８の上端部をゴム等の緩衝部材７７を介して挟持保持することにより該ボルト２８と前記可動鉄心５５を作動連結している。」、さらに、上記２−ｈ．に、「電磁プランジャ５０においてソレノイドコイル５４に信号電流を供給して該コイル５４を励磁すると、磁気ギャップ７０に生じる磁束の作用により可動ヨーク６８が吸引下降されるため、これと一体に可動鉄心５５も下降する。したがって、連結金具７１が緩衝部材７７を介して吊金ボルト２８を押し下げる」の各記載があって、ここで、電磁プランジャは、楽器筺体５の底面部を構成する底板２５に固定され、可動鉄心はこれに対して垂直方向に駆動するから、所定角度で駆動されるペダルに結合された吊り下げボルト２８との接触部分との間で、横方向のモーメントが作用するようになり、そして、連結金具７１はゴム等の緩衝部材７７をもって、吊金ボルト２８の上端部を挟持保持する形態で連結することで、即ち、軸方向に所定の角度の動きを伴って対向する接触部において、両者の間を実質的に回動自在な状態で連結することで、動作角度の違いによる横方向のモーメントを吸収していくという技術的思想が開示されているものの、訂正後の発明の構成であるダンパペダル、突上棒、プランジャの各連結構造、連接構造を開示するものではなく、上記相違点Ａ，Ｂについて、示唆するものでない。
　刊行物３にも、上記相違点Ａ，Ｂについて、記載はない。
　また、一般的に、角度回動の吸収を機械的構成をもって対処する連結構成として、ユニバーサルジョイント手段が周知慣用事項のものであるとしても、ダンパペダルと連結した突上棒と、プランジャの連結構造に該手段を採用することまでを示唆するものではない。
　そして、訂正後の発明は、上記相違点Ａ，Ｂに基づき、訂正明細書記載の「この発明によれば、プランジャとペダル突上棒とが同軸上に連設され、かつ、プランジャの摺動方向端部と、ペダル突上棒接続端部とが回動自在に連結されているため、ペダル駆動時の機械的騒音が防止されるという効果が得られる。また、本発明によれば、ペダル軸を境に前面側が踏み込み部とされたペダルの背面側に連結されたペダル突上棒が、ペダル駆動ソレノイドのプランジャと同軸上に連設されプランジャの摺動方向端部と回動自在に連結されている。自動演奏時のペダル操作においては、演奏データに対応する駆動電流がペダルソレノイドに供給され、該駆動電流に応じてプランジャが駆動される。ダンパペダル駆動機構におけるこのペダル突上棒とプランジャとの直結構造は、ペダル駆動の制御性を改善し、したがって高度なダンパペダル操作を自動で行うことが可能になるという効果が得られる。そして、演奏データとしてペダル踏み込み量に対応するデ一タを供給するようにしておき、このデータに従ってプランジャの位置決めを行なうようにすれば、演奏データに対応する駆動電流に応じてハーフペダルその他のペダル踏み込み量の調整が可能となる。さらに、ペダル駆動ソレノイドがピアノ本体に固定され、ペダル駆動ソレノイドのプランジャのみがペダル操作に応じて摺動するので、通常演奏時においては、フットペダルの踏み込み負荷が従来の一般的なピアノと何等変わらず、よって演奏感覚が従来と大きく変わってしまうことがないという効果を奏する。また、自動演奏時においては、プランジャの上下動がフットペダルに伝達され、フットペダルの動作が演奏データに従って再現されるため、自動演奏を見ている者に違和感を与えない」という格別な効果を奏するものであるから、上記相違点Ａ，Ｂは、当業者が容易に想到することができたということはできない。
　
エ．まとめ
　よって、訂正後の発明は、刊行物１ないし３に基づいて、当業者が、容易に想到することができたということはできない。
　したがって、訂正後の発明は、特許出願の際独立して特許を受けることができるものである。
                            　                            　　
３．むすび
　以上のとおりであるから、本件審判請求は、特許法第１２６条第１項第１号及び第３号に掲げる事項を目的とし、かつ、同条第２項ないし第４項の規定に適合する。
　よって、結論のとおり審決する。